(57)【特許請求の範囲】
【請求項１】
互いに一端が屈曲自在の折曲部により繋がった２枚の透明プラスチックシートが、窓部を有する板紙を介在させて嵌合された、細長いボトルを収納するための自立性包装容器であって、
一方の透明プラスチックシートの中央には、周囲に内周壁が形成されると共に、内周壁の内側に略中央部より自由端に向けて深くなる傾斜をつけて外方に膨らむ副商品収納部が成形された蓋体部が形成され、もう一方の透明プラスチックシートの中央には、前記蓋体部に着脱可能に嵌合され、外周壁が前記副商品収納部の内周壁に対応して傾斜した周壁が、折曲部寄りの一辺を除いた全周囲に突設され、自由端側より折曲部側に向けて深くなるように傾斜をつけた縦断面が略直角三角形状の外方に膨らむ主商品収納部を有する容体部が形成され、前記主商品収納部の折曲部寄りの成形深さは、収納するボトルの底部全体をカバーする深さであり、前記主商品収納部の自由端寄りの成形深さは、ボトルの頭部の半分をカバーする深さであり、前記容体部の末端は、２枚の透明プラスチックシートが繋がった折曲部近傍にまで達しており、前記板紙に設けられた窓部の縁をもう一方の透明プラスチックシートに突設された周壁に嵌め込み、板紙をもう一方の透明プラスチックシートの自由端よりはみ出させて固定させ、一方の透明プラスチックシートを折曲部を支軸にして１８０°回動させ、一方の透明プラスチックシートに設けられた内周壁をもう一方の透明プラスチックシートに突設された周壁の外周壁と、自由端近傍の１個所において嵌合させ、前記もう一方の透明プラスチックシートの容体部の自由端寄りの端縁近傍には、外方に膨らむ第２商品収納部が設けられたことを特徴とする自立性包装容器。
【請求項２】
前記板紙のはみ出し部分には、係止孔が設けられていることを特徴とする請求項１記載の自立性包装容器。
【発明の詳細な説明】
【０００１】
【発明の属する技術分野】
本発明は、互いに一端が屈曲自在の折曲部により繋がった２枚の透明プラスチックシートを嵌合させてなる自立性を有する包装容器に関する。
【０００２】
【従来の技術】
従来、透明プラスチックフィルムやシートで商品を包装して展示可能とする方法として、熱可塑性プラスチックシートを成形して商品収納部を形成させ、開口部をヒートシール性台紙で密封したブリスターパックが知られている。しかし、この包装方法には、商品を収納させた状態で自立させる機能はなかった。
【０００３】
また、透明プラスチックシートで商品収納部を有する容体部と蓋体部を形成して折曲部を介して折り曲げて、容体部と蓋体部の間に板紙を介在させて嵌め合わせるという包装容器としては、例えば、実開昭６０−７５２１５号公報、特開平１１−１２８０３０号公報等に記載された構成が開示されている。
【０００４】
実開昭６０−７５２１５号公報に開示された構成は、図５、図６に示すように、互いに一端が屈曲自由に繋がった２枚の透明シート１０１、１０２が重なり、両透明シート１０１、１０２の内少なくとも一方の透明シート１０１の内面には内周面１３１が開口側に狭まる方向に傾斜している商品収納室１０３が形成され、他方の透明シート１０２の内面には上記商品収納室１０３に着脱可能に緊密に嵌まり外周面１４１が商品収納室１０３の内周面１３１に対応して傾斜している周壁１０４が突設され、両シート１０１、１０２の自由端側は両シート１０１、１０２の間にタグ１０６を挟むタグ挟み面１１０、１２０となっている陳列用包装ケースとしたものである。
【０００５】
また、特開平１１−１２８０３０号公報に開示された構成は、図７、図８に示すように、貫通孔２０５を有する台紙２０２と、台紙の貫通孔２０５を貫通して一方面側に突出し、外面に、周方向に間隔をあけて形成された複数の第１係止部２２０を有する有底筒状の収納部２１１と、台紙の他方面に当接し、収納部２１１の外方に突出する第１フランジ部２１２とを有する容器本体２０３と、台紙の前記一方面側に配置され、遮光製合成樹脂製キャップ２０４であって、収納部２１１に嵌合し、第１係止部２２０にそれぞれ着脱可能に係止する周方向に間隔をあけて形成された複数の第２係止部２３６を、内面に有する有底筒状のキャップ本体２２６と、キャップ本体の外方に突出し、台紙２０２を挟んで第１フランジ部２１２と対向する第２フランジ部２２７とを有するキャップ２０４とを含む陳列展示用容器としたものである。
【０００６】
このように、前者の構成においては、製品の自立性が保たれないし、板紙を全面に使用していないのでディスプレイ効果が半減する、といった問題がある。
また、後者の構成においては、板紙を全面に使用しているが、製品の自立性が保たれない点は前者の構成と同様である。
【０００７】
【発明が解決しようとする課題】
本発明は、上記のような問題点に着目してなされたもので、ガラス瓶、プラスチックボトルのような細長い商品を収納しても自立性が有り、ディスプレイ効果に優れた自立性包装容器を提供することを目的とする。
【０００８】
【課題を解決するための手段】
本発明の請求項１の発明は、互いに一端が屈曲自在の折曲部により繋がった２枚の透明プラスチックシートが、窓部を有する板紙を介在させて嵌合された、細長いボトルを収納するための自立性包装容器であって、一方の透明プラスチックシートの中央には、周囲に内周壁が形成されると共に、内周壁の内側に略中央部より自由端に向けて深くなる傾斜をつけて外方に膨らむ副商品収納部が成形された蓋体部が形成され、もう一方の透明プラスチックシートの中央には、前記蓋体部に着脱可能に嵌合され、外周壁が前記副商品収納部の内周壁に対応して傾斜した周壁が、折曲部寄りの一辺を除いた全周囲に突設され、自由端側より折曲部側に向けて深くなるように傾斜をつけた縦断面が略直角三角形状の外方に膨らむ主商品収納部を有する容体部が形成され、前記主商品収納部の折曲部寄りの成形深さは、収納するボトルの底部全体をカバーする深さであり、前記主商品収納部の自由端寄りの成形深さは、ボトルの頭部の半分をカバーする深さであり、前記容体部の末端は、２枚の透明プラスチックシートが繋がった折曲部近傍にまで達しており、前記板紙に設けられた窓部の縁をもう一方の透明プラスチックシートに突設された周壁に嵌め込み、板紙をもう一方の透明プラスチックシートの自由端よりはみ出させて固定させ、一方の透明プラスチックシートを折曲部を支軸にして１８０°回動させ、一方の透明プラスチックシートに設けられた内周壁をもう一方の透明プラスチックシートに突設された周壁の外周壁と、自由端近傍の１個所において嵌合させ、前記もう一方の透明プラスチックシートの容体部の自由端寄りの端縁近傍には、外方に膨らむ第２商品収納部が設けられたことを特徴とする自立性包装容器である。
【０００９】
このように、本発明の自立性包装容器は、一方の透明プラスチックシートの中央には、周囲に内周壁が形成されると共に、内周壁の内側に略中央部より自由端に向けて深くなる傾斜をつけて外方に膨らむ副商品収納部が成形された蓋体部が形成され、もう一方の透明プラスチックシートの中央には、前記蓋体部に着脱可能に嵌合され、外周壁が前記副商品収納部の内周壁に対応して傾斜した周壁が、折曲部寄りの一辺を除いた全周囲に突設され、かつ、自由端側より折曲部側に向けて深くなるように傾斜をつけた縦断面が略直角三角形状の外方に膨らむ主商品収納部を有する容体部が形成され、一方の透明プラスチックシートを折曲部を支軸にして１８０°回動させ、一方の透明プラスチックシートに設けられた内周壁をもう一方の透明プラスチックシートに突設された周壁の外周壁と嵌合させているので、商品を収納した包装容器は自立することができ、立体的な展示ができる。また、ボタン止めリブやシール、ホッチキス等の付属品を使用せずに２枚の透明プラスチックシートを封止することができる。
【００１１】
また、窓部を有する板紙を２枚の透明プラスチックシートの間に自由端よりはみ出させて固定しているので、商品を収納した包装容器は自立することができると共に、窓部を除く板紙全体を表裏ともに宣伝媒体として活用できる。
【００１３】
また、一方の透明プラスチックシートに設けられた内周壁と、もう一方の透明プラスチックシートに設けられた外周壁との嵌合個所は、２枚の透明プラスチックシートの自由端近傍の１個所となっているので、容器の開閉が容易にできる。
【００１５】
また、容体部の末端は、２枚の透明プラスチックシートが繋がった折曲部近傍にまで達しているので、商品を収納した包装容器は容易に自立が可能となる。
【００１７】
もう一方の透明プラスチックシートの容体部の自由端寄りの端縁近傍に、外方に膨らむ第２商品収納部を設けておくことにより、第２商品収納部に、例えば、能書等を収納して、より詳細な商品説明をすることができる。
【００２０】
また、請求項２の発明は、前記板紙のはみ出し部分には、係止孔が設けられていることを特徴とする自立性包装容器である。
【００２１】
このように、板紙のはみ出し部分に係止孔を設けることにより、自立性包装容器を吊り下げることができ、より立体的な展示を行うことも可能である。
【００２２】
【発明の実施の形態】
以下実施例および参考例により本発明の実施の形態を説明する。
〈参考例〉図１は、本発明の自立性包装容器の参考例を示す開けた状態での斜視説明図であり、図２は、図１の自立性包装容器の（ａ）は商品を収納して閉じた状態での、また、（ｂ）は商品を取り出し開けた状態での縦断面説明図である。
【００２３】
本参考例の自立性包装容器は、図１、図２に示すように、互いに一端が屈曲自在の折曲部１５により繋がった２枚の透明プラスチックシート１０、２０を嵌合させてなる包装容器である。
【００２４】
一方の透明プラスチックシート１０の中央部分は、周囲に内周壁１１が形成されていると共に、内周壁の内側に略中央部より自由端１２に向けて深くなる傾斜をつけて外方に膨らむ副商品収納部１３が形成された蓋体部１４が形成されている。
自由端１２の端縁近傍に、包装容器を吊り下げ可能にするための係止孔１６を設けることができる。
【００２５】
もう一方の透明プラスチックシート２０の中央部分は、蓋体部１４に着脱可能に嵌合され、外周壁２１が副商品収納部１３の内周壁１１に対応して傾斜した周壁２２が、折曲部１５寄りを除いた全周囲に突設され、かつ、自由端２３側より折曲部１５側に向けて深くなるように傾斜をつけた縦断面が略直角三角形状の外方に膨らむ主商品収納部２４を有する容体部２５が形成されている。
【００２６】
このとき、主商品収納部２４の折曲部寄りの成形深さは、商品であるプラスチックボトル等の容器の底部全体をカバーする深さとし、また、主商品収納部２４の自由端寄りの深さは、商品である容器の頭部の概ね半分をカバーする深さとすることにより、商品を本発明の自立性包装容器に包装後、陳列する際には自立が可能になり陳列効果が倍増する。
【００２７】
２つの透明プラスチックシート１０、２０を折り曲げて重ねた際、もう一方の透明プラスチックシート２０の自由端２３の端縁近傍の、一方の透明プラスチックシート１０に設けた係止孔１６と重なる個所に係止孔２６を設けることにより、包装容器を吊り下げ可能にすることができる。
【００２８】
また、図１に示すように、容体部２５の主商品収納部より自由端寄りに主商品収納部より小さい第２商品収納部２７を設けることにより、容体部に２種類の商品を収納することができる。
【００２９】
透明プラスチックシートは、屈曲性に優れ、かつ成形性を有するポリプロピレン樹脂、塩化ビニル樹脂、ポリエチレンテレフタレート樹脂、ポリスチレン樹脂等からなるシートが使用でき、副商品収納部１３や主商品収納部２４の成形は、真空成形法、圧空成形法等公知のシート成形法を用いれば良い。
【００３０】
商品の収納と容器への組み立ては、例えば、つぎのようにして行う。
まず、もう一方の透明プラスチックシート２０に設けた主商品収納部２４に内容物が充填されたプラスチックボトル等からなる商品４０を落とし込み、必要に応じて能書等を第２商品収納部２７に収容する。
【００３１】
ついで、一方の透明プラスチックシート１０を折曲部１５を支軸にして約１８０°回動させ、商品４０の露出部分を覆うようにして副商品収納部１３を被せ、一方の透明プラスチックシート１０に設けられた内周壁１１をもう一方の透明プラスチックシート２０に突設された周壁２２の外周壁２１と嵌合させ、商品の収容と容器への組み立てが完了する。
【００３２】
なお、一方の透明プラスチックシートに設けられた内周壁１１と、もう一方の透明プラスチックシートに設けられた外周壁２１との嵌合個所を、２枚の透明プラスチックシートの自由端１２、２３近傍の１個所のみにしておくと、容器の開閉が比較的容易に行える。
【００３３】
係止孔１６、２６が設けてあるので、スタンド等に吊り下げてディスプレイ効果を揚げることもできる。
【００３４】
〈実施例〉図３は、本発明の自立性包装容器の実施例を示す開けた状態での斜視説明図であり、図４は、図３の自立性包装容器の（ａ）は商品を収納して閉じた状態での、また、（ｂ）は商品を取り出し開けた状態での縦断面説明図である。
【００３５】
本発明の自立性包装容器は、図３、図４に示すように、互いに一端が屈曲自在の折曲部１５により繋がった２枚の透明プラスチックシート１０、２０が、窓部３１を有する透明プラスチックシートより長い板紙３０を介在させて嵌合された包装容器である。
【００３６】
一方の透明プラスチックシート１０の中央部分は、周囲に内周壁１１が形成されていると共に、内周壁の内側に略中央部より自由端１２に向けて深くなる傾斜をつけて外方に膨らむ副商品収納部１３が形成された蓋体部１４が形成されている。
【００３７】
もう一方の透明プラスチックシート２０の中央部分は、蓋体部１４に着脱可能に嵌合され、外周壁２１が副商品収納部１３の内周壁１１に対応して傾斜した周壁２２が、折曲部１５寄りを除いた全周囲に突設され、かつ、自由端２３側より折曲部１５側に向けて深くなるように傾斜をつけた縦断面が略直角三角形状の外方に膨らむ主商品収納部２４を有する容体部２５が形成されている。
【００３８】
別に、２枚に折り曲げた透明プラスチックシート１０、２０と同じ幅で、少し大きい長さの板紙３０を準備しておく。
この板紙３０は、２枚に折り曲げた透明プラスチックシート１０、２０の間に挟み込む際、もう一方の透明プラスチックシート２０の周壁２２に囲まれる部分を窓部３１として予めくり抜いておく。
【００３９】
商品の収容と容器への組み立ては、例えば、つぎのようにして行う。
まず、もう一方の透明プラスチックシート２０に設けた主商品収納部２４に内容物が充填されたプラスチックボトル等からなる商品４０を落とし込み、板紙３０に設けられた窓部３１の縁をもう一方の透明プラスチックシート２０に突設された周壁２２に嵌め込み、板紙をもう一方の透明プラスチックシート２０の自由端２３よりはみ出させて固定させる。
このとき、板紙３０は、もう一方の透明プラスチックシート２０全体をカバーし、さらに、もう一方の透明プラスチックシートの自由端２３からはみ出して固定されている。
【００４０】
ついで、一方の透明プラスチックシート１０を折曲部１５を支軸にして約１８０°回動させ、商品４０の露出部分を覆うようにして副商品収納部１３を被せ、一方の透明プラスチックシート１０に設けられた内周壁１１をもう一方の透明プラスチックシート２０に突設された周壁２２の外周壁２１と嵌合させ、商品の収容と容器への組み立てが完了する。
【００４１】
なお、一方の透明プラスチックシートに設けられた内周壁１１と、もう一方の透明プラスチックシートに設けられた外周壁２１との嵌合個所を、２枚の透明プラスチックシートの自由端１２、２３近傍の１個所のみにしたことにより、容器の開閉が比較的容易に行える。
【００４２】
また、板紙３０の透明プラスチックシートからはみ出した部分に係止孔３２を設けておくことにより、スタンド等に吊り下げて陳列することもできる。
【００４３】
【発明の効果】
上記のように本発明の自立性包装容器は、ボタン止めリブやシール等の付属品を使用せずに嵌合が可能である。
２枚のプラスチックシートの間に板紙を挟み込んだ包装容器は、板紙をディスプレイを兼ねた能書として活用できる。
商品の自立性を考慮し板紙が傾いているので、ディスプレイ効果が向上する。
【図面の簡単な説明】
【図１】本発明の自立性包装容器の参考例を示す、開けた状態での斜視説明図である。
【図２】図１の自立性包装容器の（ａ）は閉じた状態での、また、（ｂ）は開けた状態での縦断面説明図である。
【図３】本発明の自立性包装容器の実施例を示す、開けた状態での斜視説明図である。
【図４】図３の自立性包装容器の（ａ）は閉じた状態での、また、（ｂ）は開けた状態での縦断面説明図である。
【図５】透明プラスチックシートで商品収納部を有する容体部と蓋体部を形成して折曲部を介して折り曲げ、容体部と蓋体部の間に板紙を介在させて嵌め合わせた包装容器の一例を示す、斜視説明図である。
【図６】図５の閉じた状態での縦断面説明図である。
【図７】透明プラスチックシートで商品収納部を有する容体部と蓋体部を形成して折曲部を介して折り曲げ、容体部と蓋体部の間に板紙を介在させて嵌め合わせた包装容器の別の一例を示す、斜視説明図である。
【図８】図７の閉じた状態での縦断面説明図である。
【符号の説明】
１０‥‥一方の透明プラスチックシート
１１‥‥内周壁
１２‥‥自由端
１３‥‥副商品収納部
１４‥‥蓋体部
１５‥‥折曲部
２０‥‥もう一方の透明プラスチックシート
２１‥‥外周壁
２２‥‥周壁
２３‥‥自由端
２４‥‥主商品収納部
２５‥‥容体部
３０‥‥板紙
３１‥‥窓部
３２‥‥係止孔
４０‥‥商品
１０１‥‥一方の透明シート
１０２‥‥他方の透明シート
１０３‥‥商品収納室
１０４‥‥周壁
１０６‥‥タグ
１１０‥‥タグ挟み面
１２０‥‥タグ挟み面
１３１‥‥内周面
１４１‥‥外周面
２０２‥‥台紙
２０３‥‥容器本体
２０４‥‥キャップ
２０５‥‥貫通孔
２１１‥‥収納部
２１２‥‥第１フランジ部
２２０‥‥第１係止部
２２６‥‥キャップ本体
２２７‥‥第２フランジ部
２３６‥‥第２係止部
【図１】
0004560910.tif 000002
【図２】
0004560910.tif 000003
【図３】
0004560910.tif 000004
【図４】
0004560910.tif 000005
【図５】
0004560910.tif 000006
【図６】
0004560910.tif 000007
【図７】
0004560910.tif 000008
【図８】
0004560910.tif 000009